(57)【要約】【課題】メンテナンス等の作業が容易で、塵や埃の進入を防止することができるリアプロジェクタを提供することを目的とする。【解決手段】リアプロジェクタ１は、照明光学系１１０と、照明光学系１１０から出力された光を映像信号に応じて変調する光変調素子１２０と、光変調素子１２０からの変調光を投写する投写光学系２２０と、投写光学系２２０からの投写光が投写されるスクリーン２０３と、回路基板１３０と、照明光学系１１０、光変調素子１２０および回路基板１３０を収容し、変調光を出射する出射用開口部１０２を有する第１筺体１０１と、スクリーン２０３を保持し、変調光を入射させる入射用開口部２０４を有し、第１筐体１０１と分離可能に結合された第２筺体２０１と、出射用開口部１０２および入射用開口部２０４の少なくとも一方に設けられたシャッタ１４０，２４０を備える。【選択図】図４
2013257555.tif 000002
【特許請求の範囲】
【請求項１】
光源を含む照明光学系と、
映像信号が入力され、前記照明光学系から出力された光を前記映像信号に応じて変調する光変調素子と、
前記光変調素子からの変調光を投写する投写光学系と、
前記投写光学系からの投写光が投写されるスクリーンと、
前記照明光学系と前記光変調素子とを制御する制御部を有する回路基板と、
前記照明光学系、前記光変調素子および前記回路基板を収容し、前記変調光を出射する出射用開口部を有する第１筺体と、
前記スクリーンを保持し、前記出射用開口部から出射された前記変調光を入射させる入射用開口部を有し、第１筐体と分離可能に結合された第２筺体と、
前記出射用開口部および前記入射用開口部の少なくとも一方に設けられたシャッタと
を備えたことを特徴とするリアプロジェクタ。
【請求項２】
前記投写光学系は、前記第２筺体に収容されていることを特徴とする請求項１に記載のリアプロジェクタ。
【請求項３】
前記出射用開口部および前記入射用開口部は、前記光変調素子と前記投写光学系との間に配置されていることを特徴とする請求項２に記載のリアプロジェクタ。
【請求項４】
前記シャッタは、回動軸を中心として回動可能に支持されていることを特徴とする請求項１から３までのいずれか１項に記載のリアプロジェクタ。
【請求項５】
前記第１の筐体に対して前記第２の筐体を相対的に移動可能に案内するガイド部材をさらに備え、
前記シャッタは、前記ガイド部材によって案内される前記第２筺体の前記第１筺体に対する相対的な移動方向に平行な方向に移動可能に支持されていることを特徴とする請求項１から３までのいずれか１項に記載のリアプロジェクタ。
【請求項６】
前記シャッタの開閉動作を、前記第１筺体と前記第２筺体との結合動作および分離動作と連動させたことを特徴とする請求項１から５までのいずれか１項に記載のリアプロジェクタ。
【請求項７】
前記シャッタとして、前記第１筺体に設けられ、前記出射用開口部を開閉する第１のシャッタを備えたことを特徴とする請求項１から６までのいずれか１項に記載のリアプロジェクタ。
【請求項８】
前記第１筺体を前記第２筺体に対して所定の方向に相対移動させることにより、前記第１筺体と前記第２筺体とが結合され、
前記第１筺体と前記第２筺体とを結合すると、前記第２筺体に設けられた当接部が第１のシャッタを押圧して、前記出射用開口部を開放する開放位置に移動させることを特徴とする請求項７に記載のリアプロジェクタ。
【請求項９】
前記第１のシャッタを、出射用開口部を閉鎖する閉鎖位置に移動させるように付勢する付勢部材を備え、
前記第１筺体と前記第２筺体とを分離させると、前記付勢部材の付勢力により前記第１のシャッタが閉鎖位置に移動することを特徴とする請求項７または８に記載のリアプロジェクタ。
【請求項１０】
前記シャッタとして、前記第２筺体に設けられ、前記入射用開口部を開閉する第２のシャッタを備えたことを特徴とする請求項１から９までのいずれか１項に記載のリアプロジェクタ。
【請求項１１】
前記第１筺体を前記第２筺体に対して所定の方向に相対移動させることにより、前記第１筺体と前記第２筺体とが結合され、
前記第１筺体と前記第２筺体とを結合すると、前記第１筺体に設けられた当接部が第２のシャッタを押圧して、前記入射用開口部を開放する開放位置に移動させることを特徴とする請求項１０に記載のリアプロジェクタ。
【請求項１２】
前記第２のシャッタを、前記入射用開口部を閉鎖する閉鎖位置に移動させるように付勢する付勢部材を備え、
前記第１筺体と前記第２筺体とを分離させると、前記付勢部材の付勢力により前記第２のシャッタが閉鎖位置に移動することを特徴とする請求項１０または１１に記載のリアプロジェクタ。
【請求項１３】
前記第１筺体と前記第２筺体とを結合する際に、前記第１筺体と前記第２筺体とを所定の方向に案内する案内手段をさらに備えたことを特徴とする請求項１から１２までのいずれか１項に記載のリアプロジェクタ。
【発明の詳細な説明】
【技術分野】
【０００１】
本発明は、リアプロジェクタの構造に関する。
【背景技術】
【０００２】
一般に、リアプロジェクタは、前面にスクリーンを有する単一の筺体を備えており、その筺体の内部に投写光学系および光源ユニット（光学エンジン）を収容している。そのため、部品の修理や破損部品の交換といったメンテナンスを行う際には、筐体を分解しなければならず、作業が煩雑で長時間を要するという問題があった。
【０００３】
そこで、メンテナンス頻度が高い屋外用広告装置として、光学エンジンを収容した第１ユニットと、スクリーンを有する第２ユニットとを分割可能に一体化したリアプロジェクタが提案されている（例えば、特許文献１参照）。
【先行技術文献】
【特許文献】
【０００４】
【特許文献１】特開２００５−２７４６９２号公報（段落００１７〜００２２および図３参照）
【発明の概要】
【発明が解決しようとする課題】
【０００５】
しかしながら、上述した従来の技術では、メンテナンス時に第１ユニットと第２ユニットとを分割した際に開口部が生じ、その開口部から、空気中の塵や埃が各ユニット内に進入する可能性がある。塵や埃が光学エンジンやスクリーンに付着すると、スクリーン上の映像に影となって現れ、表示品質の劣化の原因となる。
【０００６】
この発明は、上記の問題を解消するためになされたもので、メンテナンス等の作業が容易で、塵や埃の進入を防止することができるリアプロジェクタを提供することを目的とする。
【課題を解決するための手段】
【０００７】
この発明に係るリアプロジェクタは、光源を含む照明光学系と、映像信号が入力され、照明光学系から出力された光を映像信号に応じて変調する光変調素子と、光変調素子からの変調光を投写する投写光学系と、投写光学系からの投写光が投写されるスクリーンと、照明光学系と光変調素子とを制御する制御部を有する回路基板と、照明光学系、光変調素子および回路基板を収容し、変調光を出射する出射用開口部を有する第１筺体と、スクリーンを保持し、出射用開口部から出射された変調光を入射させる入射用開口部を有し、第１筐体と分離可能に結合された第２筺体と、出射用開口部および入射用開口部の少なくとも一方に設けられたシャッタとを備える。
【発明の効果】
【０００８】
本発明によれば、第１筺体と第２筺体とを分離可能に結合すると共に、出射用開口部および入射用開口部の少なくとも一方に開閉のためのシャッタを備えたことにより、メンテナンス等の作業を容易にし、なお且つ、作業時に筺体内に塵や埃が進入することを防止できる。その結果、塵や埃の進入に起因する表示品質の劣化を抑制することができる。
【０００９】
また、交換頻度の高い照明光学系（光源を含む）、光変調素子および回路基板を第１筺体に配設したことにより、第１筺体を新しいものと交換することで、交換頻度の高い部品をまとめて交換することができる。
【図面の簡単な説明】
【００１０】
【図１】この発明の実施の形態１に係るリアプロジェクタを前面側から見た斜視図である。
【図２】この発明の実施の形態１に係るリアプロジェクタを背面側から見た斜視図である。
【図３】この発明の実施の形態１に係るリアプロジェクタの第１ユニットの内部構造を示す斜視図である。
【図４】この発明の実施の形態１に係るリアプロジェクタの第１ユニットの光学系の構成を模式的に示す水平断面図である。
【図５】この発明の実施の形態１に係るリアプロジェクタの第２ユニットの一部を切り欠いて示す斜視図である。
【図６】この発明の実施の形態１に係るリアプロジェクタの第２ユニットの基本構成を模式的に示す水平断面図である。
【図７】この発明の実施の形態１に係るリアプロジェクタの第１ユニットの第１筐体の前面部を前面側から見た斜視図である。
【図８】この発明の実施の形態１に係るリアプロジェクタの第１ユニットの第１筐体の前面部を背面側から見た分解斜視図である。
【図９】この発明の実施の形態１に係るリアプロジェクタの第２ユニットの第２筐体の背面凸部を背面側から見た斜視図である。
【図１０】この発明の実施の形態１に係るリアプロジェクタの第２ユニットの第２筐体の背面凸部を前面側から見た分解斜視図である。
【図１１】この発明の実施の形態１に係るリアプロジェクタの第１ユニットと第２ユニットとが分離されている状態を示す斜視図である。
【図１２】この発明の実施の形態１に係るリアプロジェクタの組立前の第１ユニットの第１筐体の前面部を示す正面図である。
【図１３】この発明の実施の形態１に係るリアプロジェクタの組立後の第１ユニットの第１筐体の前面部を示す正面図である。
【図１４】この発明の実施の形態１に係るリアプロジェクタの組立前の第２ユニットの第２筐体の背面凸部を示す背面図である。
【図１５】この発明の実施の形態１に係るリアプロジェクタの組立後の第２ユニットの第２筐体の背面凸部を示す背面図である。
【図１６】この発明の実施の形態２に係るリアプロジェクタの第１ユニットの第１筐体の前面部を前面側から見た斜視図である。
【図１７】この発明の実施の形態２に係るリアプロジェクタの第１ユニットの第１筐体の前面部を背面側から見た斜視図である。
【図１８】この発明の実施の形態２に係るリアプロジェクタの第２ユニットの第２筐体の背面凸部を背面側から見た斜視図である。
【図１９】この発明の実施の形態２に係るリアプロジェクタの第２ユニットの第２筐体の背面凸部を前面側から見た斜視図である。
【図２０】この発明の実施の形態２に係るリアプロジェクタの組立前の第１ユニットの第１筐体の前面部を示す背面図である。
【図２１】この発明の実施の形態２に係るリアプロジェクタの組立後の第１ユニットの第１筐体の前面部の背面図である。
【図２２】この発明の実施の形態２に係るリアプロジェクタの組立前の第２ユニットの第２筐体の背面凸部を示す背面図である。
【図２３】この発明の実施の形態２に係るリアプロジェクタの組立後の第２ユニットの第２筐体の背面凸部を示す背面図である。
【図２４】この発明の実施の形態３に係るリアプロジェクタの第１ユニットの第１筐体の前面部（Ａ）および第２ユニットの第２筐体の背面凸部（Ｂ）を示す斜視図である。
【発明を実施するための形態】
【００１１】
以下、この発明の各実施の形態に係るリアプロジェクタを、図面を参照して説明する。各図において、同一の構成要素には、同一の符号を付す。
【００１２】
実施の形態１．
図１および図２は、この発明の実施の形態１におけるリアプロジェクタ１を、それぞれ前面側（前方）および背面側（後方）から見た斜視図である。図１および図２に示すように、リアプロジェクタ１は、互いに分離可能な第１ユニット１００と第２ユニット２００とで構成されている。第２ユニット２００の前面には、スクリーン２０３が設けられている。スクリーン２０３は、透過型スクリーンであり、背面から投写光が照射されて映像を表示する。
【００１３】
ここでは、スクリーン２０３の横方向（水平方向）をＸ方向とし、縦方向（鉛直方向）をＹ方向とする。また、スクリーン２０３の面に直交する方向、すなわちリアプロジェクタ１の奥行き方向を、Ｚ方向とする。
【００１４】
Ｘ方向については、スクリーン２０３に向かって右方向を＋Ｘ方向とし、左方向を−Ｘ方向とする。Ｙ方向については、上方を＋Ｙ方向とし、下方を−Ｙ方向とする。Ｚ方向については、観察者側（前方）を＋Ｚ方向とし、その反対側（後方）を−Ｚ方向とする。
【００１５】
図３は、第１ユニット１００の内部構造を示す斜視図である。第１ユニット１００は第１筺体１０１を備え、この第１筺体１０１内に、照明光学系１１０、光変調素子１２０および回路基板（電気回路基板）１３０を備えている。第１筺体１０１の背面には、映像信号および電源電圧が入力されるインタフェース部１３２が備えられている。
【００１６】
第１筺体１０１は、Ｘ方向略中央よりも−Ｘ側の部分が前方（＋Ｚ方向）に張り出した形状を有している。一方、第１筺体１０１のＸ方向略中央よりも＋Ｘ側の部分は、その前面部（結合部）１０１ａにおいて、第２ユニット２００の第２筺体２０１（図２）と結合する。
【００１７】
第１筺体１０１のＸ方向略中央よりも−Ｘ側の部分には、照明光学系１１０が収容されている。また、照明光学系１１０に対向するように、照明光学系用ヒートシンク１１１が配置され、照明光学系用ヒートシンク１１１に対向するように、冷却用ファン１１２，１１３が配置されている。
【００１８】
図４は、第１ユニット１００の光学系を模式的に示す水平断面図である。照明光学系１１０は、図示しない光源（例えば発光ダイオード、レーザダイオード、ハロゲンランプ）を内蔵しており、光変調素子１２０を照明するための光（照明光）を＋Ｘ方向に照射する。照明光学系１１０の出射側（＋Ｘ側）に隣接して、ミラー１１４が配置されている。ミラー１１４は、照明光学系１１０からの光を反射する。
【００１９】
ミラー１１４の反射光の進行方向には、光変調素子１２０が配置されている。光変調素子１２０は、映像信号が入力され、照明光学系１１０からの光を映像信号に応じて変調し、変調光を＋Ｚ方向に出射する。光変調素子１２０は、例えば、反射型液晶表示素子、デジタルマイクロミラーデバイスなどで構成される。また、光変調素子１２０に接するように、光変調素子用ヒートシンク１２１が設けられている。
【００２０】
回路基板１３０は、制御部（例えばＣＰＵ等）を搭載しており、照明光学系１１０の光源の点灯制御を行い、光変調素子１２０に映像信号を入力する制御を行う。この回路基板１３０は、上述したインタフェース部１３２（図２）に電気的に接続されており、外部機器から映像信号および電源電圧が入力される。
【００２１】
第１筺体１０１の前面部１０１ａにおいて、光変調素子１２０からの変調光（符号Ｌで示す）が通過する部分には、例えば円形の出射用開口部１０２が形成されている。この出射用開口部１０２を開閉するため、第１シャッタ１４０が設けられている。また、第１シャッタ１４０を開放位置から閉鎖位置に向けて付勢する付勢部材としてのバネ部材１４４が備えられている。
【００２２】
図５は、第２ユニット２００を、一部を切り欠いて示す斜視図である。図６は、第２ユニット２００の基本構成を模式的に示す水平断面図である。第２ユニット２００は第２筺体２０１を備え、この第２筺体２０１内に投写光学系２２０を収容している。
【００２３】
第２筺体２０１は、その前面側に、スクリーン２０３を前面に保持するバックカバー２０２を有している。また、第２筺体２０１は、その背面側に、後方（−Ｚ方向）すなわち第１ユニット１００側に張り出す背面凸部（結合部）２０１ａを有している。第２筺体２０１の背面凸部２０１ａは、第１ユニット１００の第１筺体１０１の前面部１０１ａに結合される部分である。
【００２４】
第２筺体２０１の背面凸部２０１ａには、第１ユニット１００の出射用開口部１０２から出射された光が入射する、例えば円形の入射用開口部２０４が設けられている。この入射用開口部２０４を開閉するため、第２シャッタ２４０が設けられている。また、第２シャッタ２４０を開放位置から閉鎖位置に向けて付勢する付勢部材としてのバネ部材２４４（図６）が備えられている。
【００２５】
リアプロジェクタ１の光学系の作用は、以下の通りである。まず、図４において、第１ユニット１００の照明光学系１１０から光が出射され、ミラー１１４により反射されて光変調素子１２０に入射する。光変調素子１２０は、映像信号に応じて光を変調する。光変調素子１２０で生成された変調光Ｌは、出射用開口部１０２から第１ユニット１００外に出射される。そして、第１ユニット１００外に出射された変調光Ｌは、図６において、入射用開口部２０４から第２ユニット２００に入射する。第２ユニット２００では、投写光学系２２０が変調光Ｌを投写し、スクリーン２０３に投写光が投写され、映像が表示される。
【００２６】
図７は、第１ユニット１００の第１筺体１０１の前面部１０１ａを前面側から見た斜視図である。図８は、第１ユニット１００の第１筺体１０１の前面部１０１ａを背面側から見た分解斜視図である。
【００２７】
図７および図８に示すように、前面部１０１ａの出射用開口部１０２の近傍には、軸穴１０３が設けられている。この軸穴１０３には、第１シャッタ１４０の支点ピン（回動軸）１４１が係合している。第１シャッタ１４０は、軸穴１０３を中心として回動可能であり、出射用開口部１０２を閉鎖することが可能な形状および面積を有している。
【００２８】
第１シャッタ１４０は、例えば長尺の板状部材であり、その長手方向一端の近傍に支点ピン１４１を有し、この支点ピン１４１に隣接して、駆動ピン（駆動当接部）１４２を有している。支点ピン１４１および駆動ピン１４２は、いずれも＋Ｚ方向に突出している。
【００２９】
駆動ピン１４２は、前面部１０１ａに形成された略円弧状の貫通穴１０４を貫通して、第１筺体１０１の外側へ突出している。この駆動ピン１４２は、後述するように、第１ユニット１００と第２ユニット２００とを結合したときに、第２ユニット２００の背面凸部２０１ａに形成された溝部２０７の当接面２０７ａ（図９）に当接する部分である。
【００３０】
なお、貫通穴１０４は、支点ピン１４１を中心とする第１シャッタ１４０の回動を妨げないように、第１シャッタ１４０が回動するときの駆動ピン１４２の軌跡（移動距離）よりも十分長い円弧形状を有している。また、ここでは、貫通穴１０４は、出射用開口部１０２とつながるように形成されている。
【００３１】
図８に示すように、第１シャッタ１４０の長手方向において支点ピン１４１とは反対側の端部には、例えばピン状のバネ部材留め部１４３が設けられている。このバネ部材留め部１４３は−Ｚ方向に突出しており、例えばコイルバネからなるバネ部材１４４の一端が取り付けられている。バネ部材１４４の他端は、前面部１０１ａの背面側（−Ｚ側）の面に設けられたバネ部材留め部１０６に取り付けられている。バネ部材１４４は、引っ張りバネであり、第１シャッタ１４０を、出射用開口部１０２を閉鎖する方向に回動させるように付勢している。
【００３２】
第１筺体１０１の前面部１０１ａの背面側（−Ｚ側）には、第１シャッタ１４０が出射用開口部１０２を閉鎖する位置（閉鎖位置）にあるときに、第１シャッタ１４０の側端面に当接するストッパピン（位置規制部材）１０９が設けられている。
【００３３】
図７に示すように、第１筺体１０１には、第１ユニット１００と第２ユニット２００とを結合した際に、第２ユニット２００の背面凸部２０１ａの−Ｘ方向の側面２０１ｂ（図９）に当接する壁面１０１ｂが形成されている。この壁面１０１ｂは、ＹＺ面に平行な面である。壁面１０１ｂの上下の端部近傍には、位置決めピン１０７，１０８が形成されている。
【００３４】
位置決めピン１０７，１０８は、第１ユニット１００と第２ユニット２００とを結合した際に、第２ユニット２００の背面凸部２０１ａの側面２０１ｂ（図９）に設けられた位置決め穴２０９，２１０にそれぞれ嵌合し、第１ユニット１００と第２ユニット２００とを位置決めする。
【００３５】
また、第１筺体１０１の前面部１０１ａの前面（＋Ｚ側の面）には、Ｘ方向に長い溝部１０５が形成されている。この溝部１０５は、前面部１０１ａの＋Ｘ方向の端部から、出射用開口部１０２の近傍まで、所定の長さに亘って延在している。また、溝部１０５は、上述した略円弧状の貫通穴１０４とほぼ同じ高さ（Ｙ方向位置）に形成されている。
【００３６】
溝部１０５の−Ｘ方向の端部には、当接面１０５ａが形成されている。この当接面１０５ａは、第１ユニット１００と第２ユニット２００とを結合したときに、第２ユニット２００の駆動ピン２４２（図９）に当接する部分である。
【００３７】
図９は、第２ユニット２００の第２筺体２０１の背面凸部２０１ａを背面側から見た斜視図である。図１０は、第２ユニット２００の第２筺体２０１の背面凸部２０１ａを前面側から見た分解斜視図である。
【００３８】
図９および図１０に示すように、背面凸部２０１ａの入射用開口部２０４の近傍には、軸穴２０５が設けられている。この軸穴２０５には、第２シャッタ２４０の支点ピン（回動軸）２４１が係合している。第２シャッタ２４０は、軸穴２０５を中心として回動可能であり、入射用開口部２０４を閉鎖することが可能な面積を有している。
【００３９】
第２シャッタ２４０は、長尺の板状部材であり、その長手方向一端部の近傍に支点ピン２４１を有し、この支点ピン２４１に隣接して、駆動ピン（駆動当接部）２４２を有している。支点ピン２４１および駆動ピン２４２は、いずれも−Ｚ方向に突出している。
【００４０】
駆動ピン２４２は、背面凸部２０１ａに形成された略円弧状の貫通穴２０６を貫通して、第２筺体２０１の外側へ突出している。この駆動ピン２４２は、後述するように、第１ユニット１００と第２ユニット２００とを結合したときに、第１ユニット１００の前面部１０１ａに形成された溝部１０５の当接面１０５ａ（図７）に当接する部分である。
【００４１】
なお、貫通穴２０６は、支点ピン２４１を中心とする第２シャッタ２４０の回動を妨げないように、第２シャッタ２４０が回動するときの駆動ピン２４２の軌跡よりも十分長い円弧形状を有している。また、ここでは、貫通穴２０６は、入射用開口部２０４とつながるように形成されている。
【００４２】
図１０に示すように、第２シャッタ２４０の支点ピン２４１とは反対側の端部には、ピン状のバネ部材留め部２４３が設けられている。このバネ部材留め部２４３は＋Ｚ方向に突出しており、例えばコイルバネからなるバネ部材２４４の一端が取り付けられている。バネ部材２４４の他端は、背面凸部２０１ａの前面側（＋Ｚ側）に設けられたバネ部材留め部２０８に取り付けられている。バネ部材２４４は、引っ張りバネであり、第２シャッタ２４０を、入射用開口部２０４を閉鎖する方向に第２シャッタ２４０を回動させるように、付勢している。
【００４３】
第２筺体２０１の背面凸部２０１ａの前面側（＋Ｚ側）には、第２シャッタ２４０が入射用開口部２０４を閉鎖する位置（閉鎖位置）にあるときに、第２シャッタ２４０の側端面に当接するストッパピン（位置規制部材）２１１が設けられている。
【００４４】
図９に示すように、第２筺体２０１の側面２０１ｂには、第１ユニット１００と第２ユニット２００とを結合する際に、第１ユニット１００の上述した位置決めピン１０７，１０８（図７）に嵌合する位置決め穴２０９，２１０が形成されている。位置決めピン１０７，１０８と位置決め穴２０９，２１０との嵌合により、第１ユニット１００と第２ユニット２００とが位置決めされる。
【００４５】
また、第２筺体２０１の背面凸部２０１ａの背面（−Ｚ側の面）には、Ｘ方向に長い溝部２０７が形成されている。この溝部２０７は、背面凸部２０１ａの−Ｘ方向の端部から、入射用開口部２０４の近傍まで、所定の長さに亘って延在している。また、この溝部２０７は、上述した略円弧状の貫通穴２０６とほぼ同じ高さに形成されている。
【００４６】
溝部２０７の＋Ｘ方向の端部には、当接面２０７ａが形成されている。この当接面２０７ａは、第１ユニット１００と第２ユニット２００とを結合するときに、第１ユニット１００に設けられた駆動ピン１４２（図７）に当接する部分である。
【００４７】
次に、第１ユニット１００と第２ユニット２００とを結合する（組み合わせる）ための構成について説明する。図１１は、リアプロジェクタ１の第１ユニット１００と第２ユニット２００とが分離されている状態を示す斜視図である。第１ユニット１００と第２ユニット２００とは、第１ユニット１００を第２ユニット２００に対して図中矢印Ａで示す方向（＋Ｘ方向）にスライドさせることによって結合される。
【００４８】
そのため、第２ユニット２００の背面凸部２０１ａの背面（−Ｚ側の面）には、矢印Ａ方向と平行に延在する上下一対のガイド溝部２９０，２９１が設けられている。また、第１ユニット１００の前面部１０１ａには、ガイド溝部２９０，２９１に摺動可能に係合する上下一対の係合部１９０，１９１が設けられている。なお、図１１では、係合部１９１は隠れている。
【００４９】
第２ユニット２００のガイド溝部２９０，２９１に、第１ユニット１００の係合部１９０，１９１を係合させることにより、第１ユニット１００を矢印Ａで示す方向に安定にスライドさせることができ、第１ユニット１００を第２ユニット２００と結合することができる。
【００５０】
また、ガイド溝部２９０，２９１に係合部１９０，１９１を係合させた状態で、図７に示した第１ユニット１００の駆動ピン１４２の高さと、図９に示した第２ユニットの溝部２０７の高さが同じになり、また、図７に示した第１ユニット１００の溝部１０５の高さと、図９に示した第２ユニット２００の駆動ピン２４２の高さが同じになる。
【００５１】
これらガイド溝部２９０，２９１および係合部１９０，１９１は、第１ユニット１００と第２ユニット２００とを結合する際の案内手段を構成している。なお、図１１以外の図面では、図示の便宜上、ガイド溝部２９０，２９１および係合部１９０，１９１は省略されている。
【００５２】
なお、第１ユニット１００を第２ユニット２００に対して矢印Ａ方向にスライドさせると、第１ユニット１００の第１筺体１０１の壁面１０１ｂが、第２ユニット２００の背面凸部２０１ａの側面２０１ｂに当接する。そして、第１ユニット１００の位置決めピン１０７，１０８（図７）が、第２ユニット２００の位置決め穴２０９，２１０（図９）にそれぞれ嵌合する。
【００５３】
また、第１ユニット１００の前面部１０１ａの＋Ｘ側の端部には、穴を有する一対の固定片１９５，１９６が設けられている。第２ユニット２００の背面凸部２０１ａの＋Ｘ側の端部にも、穴を有する一対の固定片２９５，２９６が設けられている。第１ユニット１００の矢印Ａ方向のスライドが完了した状態で、固定片１９５と固定片２９５とが重なり合い、固定片１９６と固定片２９６とが重なり合う。固定片１９５，２９５の穴にネジ等を通してこれらを固定し、固定片１９６，２９６の穴にネジ等を通してこれらを固定する。これにより、第１ユニット１００と第２ユニット２００とが結合される。
【００５４】
次に、リアプロジェクタ１の組立時、すなわち第１ユニット１００と第２ユニット２００とを結合する際の各シャッタ１４０，２４０の動作について説明する。まず、第１ユニット１００の第１シャッタ１４０の開閉動作について、図１２および図１３を参照して説明する。
【００５５】
図１２は、第１ユニット１００と第２ユニット２００とを結合する前の第１ユニット１００の前面部１０１ａを示す正面図（＋Ｚ側から見た図）である。図１３は、第１ユニット１００と第２ユニット２００とを結合した状態における第１ユニット１００の前面部１０１ａを示す正面図である。
【００５６】
なお、図１２および図１３では、各構成要素の連動状態を分かり易く表わすため、第１シャッタ１４０、バネ部材１４４およびストッパピン１０９、並びに第２ユニット２００の溝部２０７を破線で示している。
【００５７】
図１２に示すように、第１ユニット１００と第２ユニット２００とを結合する前の状態では、第１シャッタ１４０は、バネ部材１４４により軸穴１０３を中心として反時計回り方向に付勢されている。また、第１シャッタ１４０は、その側端面がストッパピン１０９に当接し、出射用開口部１０２を閉鎖する位置（閉鎖位置）で位置規制されている。すなわち、第１シャッタ１４０は、出射用開口部１０２を閉鎖する閉鎖位置で保持されている。
【００５８】
一方、第１ユニット１００を第２ユニット２００に対して矢印Ａ方向（図１１）にスライドさせると、図１３に示すように、第２ユニット２００の溝部２０７の当接面２０７ａが、第１シャッタ１４０の駆動ピン１４２に当接しながら−Ｘ方向に相対移動する。これにより、第１シャッタ１４０は、バネ部材１４４の付勢力に抗して、軸穴１０３を中心として時計回り方向に回転し、出射用開口部１０２を開放する。
【００５９】
第１ユニット１００と第２ユニット２００との結合が完了すると、第１シャッタ１４０の駆動ピン１４２は、バネ部材１４４の付勢力により当接面２０７ａに押し付けられた状態に保たれる。すなわち、第１ユニット１００と第２ユニット２００とが結合した状態では、第１シャッタ１４０は、出射用開口部１０２を開放する開放位置で保持される。
【００６０】
次に、第２シャッタ２４０の開閉動作について、図１４および図１５を参照して説明する。図１４は、第１ユニット１００と第２ユニット２００とを結合する前の第２ユニット２００の背面凸部２０１ａを示す背面図（−Ｚ側から見た図）である。図１５は、第１ユニット１００と第２ユニット２００とを結合した状態における第２ユニット２００の背面凸部２０１ａを示す背面図である。
【００６１】
なお、図１４および図１５では、各構成要素の連動状態を分かり易く表わすため、第２シャッタ２４０、バネ部材２４４およびストッパピン２１１、並びに第１ユニット１００の溝部１０５を破線で示している。
【００６２】
図１４に示すように、第１ユニット１００と第２ユニット２００とを結合する前の状態では、第２シャッタ２４０は、バネ部材２４４により軸穴２０５を中心として反時計回り方向に付勢されている。また、第２シャッタ２４０は、その側端面がストッパピン２１１に当接し、入射用開口部２０４を閉鎖する位置（閉鎖位置）で位置規制されている。すなわち、第２シャッタ２４０は、入射用開口部２０４を閉鎖する閉鎖位置で保持されている。
【００６３】
一方、第１ユニット１００を第２ユニット２００に対して矢印Ａ方向（図１１）にスライドさせると、図１５に示すように、第１ユニット１００の溝部１０５の当接面１０５ａが、第２シャッタ２４０の駆動ピン２４２に当接しながら＋Ｘ方向に移動する。これにより、第２シャッタ２４０は、バネ部材２４４の付勢力に抗して、軸穴２０５を中心として時計回り方向に回転し、入射用開口部２０４を開放する。
【００６４】
第１ユニット１００と第２ユニット２００との結合が完了すると、第２シャッタ２４０の駆動ピン２４２は、バネ部材２４４の付勢力により当接面１０５ａに押し付けられた状態に保たれる。すなわち、第１ユニット１００と第２ユニット２００とを結合した状態では、第２シャッタ２４０は、入射用開口部２０４を開放する開放位置で保持される。
【００６５】
このように、第１ユニット１００と第２ユニット２００との結合が完了した状態、すなわちリアプロジェクタ１が組み立てられた状態では、第１ユニット１００の出射用開口部１０２と第２ユニット２００の入射用開口部２０４とが共に開放され、スクリーン２０３への映像の投写が可能になる。
【００６６】
一方、メンテナンス（例えば部品の修理、故障部品の交換など）のため、第１ユニット１００と第２ユニット２００とを分離するときには、第１ユニット１００を第２ユニット２００に対して矢印Ａ方向（図１１）とは反対方向すなわち−Ｘ方向にスライドさせる。
【００６７】
これにより、図１２に示すように、第１シャッタ１４０の駆動ピン１４２から第２ユニット２００の当接面２０７ａが離間するため、第１シャッタ１４０は、バネ部材１４４の付勢力により、出射用開口部１０２を閉鎖する閉鎖位置に戻る。同様に、図１４に示すように、第２シャッタ２４０の駆動ピン２４２から第１ユニット１００の当接面１０５ａが離間するため、第２シャッタ２４０は、バネ部材２４４の付勢力により、入射用開口部２０４を閉鎖する閉鎖位置に戻る。
【００６８】
このように、第１ユニット１００と第２ユニット２００とを分離した状態では、第１ユニット１００の出射用開口部１０２と第２ユニット２００の入射用開口部２０４とが共に閉鎖され、各ユニット１００，２００内への塵や埃の侵入を防止することができる。このように塵や埃の侵入を防止することで、表示品質を向上することができる。
【００６９】
以上説明したように、実施の形態１のリアプロジェクタによれば、第１ユニット１００と第２ユニット２００とを分離可能に結合すると共に、出射用開口部１０２および入射用開口部２０４を開閉するシャッタ１４０，２４０を設けたことにより、メンテナンス等の作業を容易にし、なお且つ、作業時に各ユニット１００，２００内への塵や埃の進入を防止することができる。その結果、塵や埃の進入に伴う表示品質の劣化を抑制し、表示品質を向上することができる。
【００７０】
また、第１ユニット１００に、故障頻度の高い照明光学系１１０（光源を含む）と光変調素子１２０と回路基板１３０とを配設したことにより、交換対象部品を第１ユニット１００に限定することができる。従って、リアプロジェクタ１の動作不良などが生じた際には、第１ユニット１００を新たなものに交換するだけで済み、メンテナンス時間を短縮することができる。
【００７１】
さらに、第１ユニット１００と第２ユニット２００との結合および分離動作と連動してシャッタ１４０，２４０を開閉させるようにしたため、シャッタ１４０，２４０の切り替えを手動で行う場合と比較して、作業者の負担を軽減することができる。また、第１ユニット１００と第２ユニット２００との結合／分離の状態に応じて、シャッタ１４０，２４０の開閉状態の切り替えを確実に行うことができる。
【００７２】
また、出射用開口部１０２および入射用開口部２０４は、照明光学系１１０から出射された光が光変調素子１２０により変調された直後、すなわち、投写光学系２２０により変調光が拡大投写される前の位置に配置することが望ましい。変調光が拡大される前の位置に開口部１０２，２０４を配置することで、開口部１０２，２０４の直径を小さくすることができ、シャッタ１４０，２４０を開閉するための機構を小型軽量に構成することができる。
【００７３】
実施の形態２．
次に、この発明の実施の形態２について説明する。実施の形態２は、第１シャッタ１６０および第２シャッタ２６０の構成において、実施の形態１と異なるものである。以下では、実施の形態１との相違点について主に説明する。実施の形態２において、実施の形態１と同一の構成要素には同一の符号を付す。
【００７４】
図１６は、この発明の実施の形態２におけるリアプロジェクタ１の第１ユニット１００の第１筺体１０１の前面部１０１ａを前面側から見た斜視図である。図１７は、第１ユニット１００の第１筺体１０１の前面部１０１ａを背面側から見た斜視図である。
【００７５】
図１７に示すように、第１筺体１０１の前面部１０１ａの背面（−Ｚ側の面）には、Ｘ方向に長い上下一対のガイドレール１５３，１５４が設けられている。ガイドレール１５３，１５４の間には、板状の第１シャッタ１６０が取り付けられている。第１シャッタ１６０は、出射用開口部１０２を閉鎖することが可能な形状および面積を有している。ガイドレール１５３は、第１シャッタ１６０の上辺と摺動可能に係合し、ガイドレール１５４は、第１シャッタ１６０の下辺と摺動可能に係合している。これにより、第１シャッタ１６０は、ガイドレール１５３，１５４の長手方向、すなわちＸ方向に摺動可能となる。
【００７６】
図１６に示すように、第１シャッタ１６０には、駆動ピン（駆動当接部）１６１が設けられており、＋Ｚ方向に突出している。駆動ピン１６１は、前面部１０１ａの出射用開口部１０２につながるように形成された貫通穴１５１を貫通して、第１筺体１０１の外側へ突出している。この駆動ピン１６１は、後述するように、第１ユニット１００と第２ユニット２００とを結合したときに、第２ユニット２００の背面凸部２０１ａに形成された溝部２５２の当接面２５２ａ（図１８）に当接する部分である。
【００７７】
貫通穴１５１は、長方形形状を有し、第１シャッタ１６０の移動を妨げないように、第１シャッタ１６０が移動するときの駆動ピン１６１の軌跡（移動距離）を考慮した長さを有している。
【００７８】
図１７に示すように、第１シャッタ１６０の背面側（−Ｚ側）の面には、バネ部材留め部１６２が設けられている。このバネ部材留め部１６２には、例えばトーションバネからなるバネ部材１６３の一端が当接している。バネ部材１６３の他端は、前面部１０１ａの背面側（−Ｚ側）に設けられたバネ部材留め部１５５に取り付けられている。バネ部材１６３は、第１シャッタ１６０を、出射用開口部１０２を閉鎖する方向（＋Ｘ方向）に移動させるように付勢している。
【００７９】
第１シャッタ１６０がバネ部材１６３に付勢されて＋Ｘ方向に移動すると、第１シャッタ１６０の駆動ピン１６１は、貫通穴１５１から出射用開口部１０２の内部に移動して、出射用開口部１０２の内周面に当接する。すなわち、出射用開口部１０２の内周面は、第１シャッタ１６０の駆動ピン１６１に当接するストッパとなる。
【００８０】
また、図１６に示すように、第１筺体１０１の前面部１０１ａの前面（＋Ｚ側の面）には、Ｘ方向に長い溝部１５２が形成されている。この溝部１５２は、前面部１０１ａの＋Ｘ方向の端部から、出射用開口部１０２の近傍まで、所定の長さに亘って延在している。この溝部１５２は、上述した貫通穴１５１とほぼ同じ高さに形成されている。
【００８１】
溝部１５２の−Ｘ方向の端部には、当接面１５２ａが形成されている。この当接面１５２ａは、第１ユニット１００と第２ユニット２００とを結合したときに、第２ユニット２００の駆動ピン２６１（図１８）に当接する部分である。
【００８２】
なお、第１ユニット１００と第２ユニット２００とを結合する際に、第１ユニット１００の位置決めピン１０７，１０８（図１６）と第２ユニット２００の位置決め穴２０９，２１０（図１８）とが嵌合することは、実施の形態１で説明したとおりである。
【００８３】
図１８は、第２ユニット２００の第２筺体２０１の背面凸部２０１ａを背面側から見た斜視図である。図１９は、第２ユニット２００の第２筺体２０１の背面凸部２０１ａの前面側から見た斜視図である。
【００８４】
図１９に示すように、第２筺体２０１の背面凸部２０１ａの前面（＋Ｚ側の面）には、Ｘ方向に長い上下一対のガイドレール２５３，２５４が設けられている。ガイドレール２５３，２５４の間には、板状の第２シャッタ２６０が取り付けられている。第２シャッタ２６０は、入射用開口部２０４を閉鎖することが可能な形状および面積を有している。ガイドレール２５３は、第２シャッタ２６０の上辺と摺動可能に係合し、ガイドレール２５４は、第２シャッタ２６０の下辺と摺動可能に係合している。これにより、第２シャッタ２６０は、ガイドレール２５３，２５４の長手方向、すなわちＸ方向に摺動可能となる。
【００８５】
第２シャッタ２６０には、駆動ピン（駆動当接部）２６１が設けられており、−Ｚ方向に突出している。駆動ピン２６１は、背面凸部２０１ａの入射用開口部２０４につながるように形成された貫通穴２５１を貫通して、第２筺体２０１の外側に突出している。この駆動ピン２６１は、後述するように、第１ユニット１００と第２ユニット２００とを結合したときに、第１ユニット１００の前面部１０１ａに形成された溝部１５２の当接面１５２ａ（図１６）に当接する部分である。
【００８６】
貫通穴２５１は、長方形形状を有し、第２シャッタ２６０の移動を妨げないように、第２シャッタ２６０が移動するときの駆動ピン２６１の軌跡を考慮した長さを有している。
【００８７】
図１９に示すように、第２シャッタ２６０の前面側（＋Ｚ側）の面には、バネ部材留め部２６２が設けられている。このバネ部材留め部２６２には、例えばトーションバネからなるバネ部材２６３の一端が当接している。バネ部材２６３の他端は、背面凸部２０１ａの前面側（＋Ｚ側）に設けられたバネ部材留め部２５５に取り付けられている。バネ部材２６３は、第２シャッタ２６０を、入射用開口部２０４を閉鎖する方向（−Ｘ方向）に移動させるように付勢している。
【００８８】
第２シャッタ２６０がバネ部材２６３に付勢されて−Ｘ方向に移動すると、第２シャッタ２６０の駆動ピン２６１は、貫通穴２５１から入射用開口部２０４の内部に移動して、入射用開口部２０４の内周面に当接する。すなわち、入射用開口部２０４の内周面は、第２シャッタ２６０の駆動ピン２６１に当接するストッパとなる。
【００８９】
また、図１８に示すように、第２筺体２０１の背面凸部２０１ａの背面（−Ｚ側の面）には、Ｘ方向に長い溝部２５２が形成されている。この溝部２５２は、背面凸部２０１ａの−Ｘ方向の端部から、入射用開口部２０４の近傍まで、所定の長さに亘って延在している。この溝部２５２は、上述した貫通穴２５１とほぼ同じ高さに形成されている。
【００９０】
溝部２５２の＋Ｘ方向の端部には、当接面２５２ａが形成されている。この当接面２５２ａは、第１ユニット１００と第２ユニット２００とを結合したときに、第１ユニット１００の駆動ピン１６１（図１６）に当接する部分である。
【００９１】
次に、第１ユニット１００と第２ユニット２００とを結合する際の各シャッタ１６０，２６０の動作について説明する。まず、第１ユニット１００の第１シャッタ１６０の開閉動作について、図２０および図２１を参照して説明する。
【００９２】
図２０は、第１ユニット１００と第２ユニット２００とを結合する前の第１ユニット１００の前面部１０１ａを示す正面図（＋Ｚ側から見た図）である。図２１は、第１ユニット１００と第２ユニット２００とを結合した状態における第１ユニット１００の前面部１０１ａを示す正面図である。
【００９３】
なお、図２０および図２１では、各構成要素の連動状態を分かり易く表わすため、第１シャッタ１６０およびバネ部材１４４、並びに第２ユニット２００の溝部２５２を破線で示している。
【００９４】
図２０に示すように、第１ユニット１００と第２ユニット２００とを結合する前の状態では、第１シャッタ１６０は、バネ部材１６３により＋Ｘ方向に付勢されている。また、第１シャッタ１６０の駆動ピン１６１は出射用開口部１０２の内周面に当接し、第１シャッタ１６０は出射用開口部１０２を閉鎖する位置（閉鎖位置）で位置規制されている。すなわち、第１シャッタ１６０は、出射用開口部１０２を閉鎖する閉鎖位置で保持されている。
【００９５】
一方、第１ユニット１００を第２ユニット２００に対して矢印Ａ方向（図１１）にスライドさせると、図２１に示すように、第２ユニット２００の溝部２５２の当接面２５２ａが、第１シャッタ１６０の駆動ピン１６１に当接しながら−Ｘ方向に相対移動する。これにより、第１シャッタ１６０は、バネ部材１６３の付勢力に抗して−Ｘ方向に移動し、出射用開口部１０２を開放する。
【００９６】
第１ユニット１００と第２ユニット２００との結合が完了すると、第１シャッタ１６０の駆動ピン１６１は、バネ部材１６３の付勢力により当接面２５２ａに押し付けられた状態に保たれる。すなわち、第１シャッタ１６０は、出射用開口部１０２を開放する開放位置で保持される。
【００９７】
次に、第２シャッタ２６０の開閉動作について、図２２および図２３を参照して説明する。図２２は、第１ユニット１００と第２ユニット２００とを結合する前の第２ユニット２００の背面凸部２０１ａを示す背面図（−Ｚ側から見た図）である。図２３は、第１ユニット１００と第２ユニット２００とを結合した状態における第２ユニット２００の背面凸部２０１ａを示す背面図である。
【００９８】
なお、図２０および図２１では、各構成要素の連動状態を分かり易く表わすため、第２シャッタ２６０およびバネ部材２６３、並びに第１ユニット１００の溝部１５２を破線で示している。
【００９９】
図２２に示すように、第１ユニット１００と第２ユニット２００とを結合する前の状態では、第２シャッタ２６０は、バネ部材２６３により−Ｘ方向に付勢されている。また、第１シャッタ２６０の駆動ピン２６１は入射用開口部２０４の内周面に当接し、第２シャッタ２６０は入射用開口部２０４を閉鎖する位置（閉鎖位置）で位置規制されている。すなわち、第２シャッタ２６０は、入射用開口部２０４を閉鎖する閉鎖位置で保持されている。
【０１００】
一方、第１ユニット１００を第２ユニット２００に対して矢印Ａ方向（図１１）にスライドさせると、図２３に示すように、第１ユニット１００の溝部１５２の当接面１５２ａが、第２シャッタ２６０の駆動ピン２６１に当接しながら＋Ｘ方向に移動する。これにより、第２シャッタ２６０は、バネ部材２６３の付勢力に抗して＋Ｘ方向に移動し、入射用開口部２０４を開放する。
【０１０１】
第１ユニット１００と第２ユニット２００との結合が完了すると、第２シャッタ２６０の駆動ピン２６１は、バネ部材２６３の付勢力により当接面１５２ａに押し付けられた状態に保たれる。すなわち、第２シャッタ２６０は、入射用開口部２０４を開放する開放位置で保持される。
【０１０２】
このように、第１ユニット１００と第２ユニット２００との結合が完了した状態、すなわちリアプロジェクタ１が組み立てられた状態では、第１ユニット１００の出射用開口部１０２と第２ユニット２００の入射用開口部２０４とが共に開放され、スクリーン２０３への映像の投写が可能になる。
【０１０３】
一方、メンテナンスのため、第１ユニット１００と第２ユニット２００とを分離するときには、第１ユニット１００を第２ユニット２００に対して矢印Ａ方向（図１１）とは反対方向すなわち−Ｘ方向にスライドさせる。
【０１０４】
これにより、図２０に示すように、第１シャッタ１６０の駆動ピン１６１から第２ユニット２００の当接面２５２ａが離間するため、第１シャッタ１６０は、バネ部材１６３の付勢力により、出射用開口部１０２を閉鎖する閉鎖位置に戻る。同様に、図２２に示すように、第２シャッタ２６０の駆動ピン２６１から、第１ユニット１００の当接面１５２ａが離間するため、第２シャッタ２６０は、バネ部材２６３の付勢力により、入射用開口部２０４を閉鎖する閉鎖位置に戻る。
【０１０５】
このように、第１ユニット１００と第２ユニット２００とを分離した状態では、第１ユニット１００の出射用開口部１０２と第２ユニット２００の入射用開口部２０４とが閉鎖され、各ユニット１００，２００内への塵や埃の侵入を防止することができる。このように、塵や埃の侵入を防止することで、表示品質を向上することができる。
【０１０６】
以上説明したように、この実施の形態２のリアプロジェクタにおいても、実施の形態１のリアプロジェクタと同様の効果を達成することができる。
【０１０７】
実施の形態３．
次に、この発明の実施の形態３について説明する。上述した第１および第２の実施の形態では、第１ユニット１００の出射用開口部１０２に第１シャッタ１４０（１６０）を設け、第２ユニット２００の入射用開口部２０４に第２シャッタ２４０（２６０）を設けたが、出射用開口部１０２および入射用開口部２０４のいずれか一方にのみシャッタを設けてもよい。この実施の形態３では、第２ユニット２００の入射用開口部２０４にのみ、第２シャッタ２４０を設けている。
【０１０８】
図２４は、実施の形態３におけるリアプロジェクタの第１ユニット１００の第１筐体１０１の前面部１０１ａ（Ａ）および第２ユニット２００の第２筐体２０１の背面凸部２０１ａ（Ｂ）を示す斜視図である。図２４において、実施の形態１と同一の構成要素には同一の符号を付す。
【０１０９】
図２４（Ａ）に示すように、第１ユニット１００の第１筐体１０１の前面部１０１ａには、出射用開口部１０２を開閉する第１シャッタ１４０（図８参照）は設けられていない。一方、図２４（Ｂ）に示すように、第２ユニット２００の第２筐体２０１の背面凸部２０１ａには、実施の形態１と同様、入射用開口部２０４を開閉する第２シャッタ２４０が設けられている。第２シャッタ２４０の開閉が、第１ユニット１００と第２ユニット２００との結合／分離動作と連動して行われることは、実施の形態１で説明したとおりである。
【０１１０】
第１ユニット１００と第２ユニット２００とでは、スクリーン２０３を有する第２ユニット２００の方が防塵の要請が高い。スクリーン２０３上では投写光の焦点が合っており、スクリーン２０３に付着した塵埃は映像上で視認されやすいためである。一方、第１ユニット１００は、塵や埃が侵入しても映像上ではぼやけて視認されにくい上、メンテナンス時には第１ユニット１００自体を交換する頻度も高い。そのため、何れか一方のユニットにのみシャッタを設ける場合には、この実施の形態３のように、第２ユニット２００の入出射用開口部２０４にシャッタを設けることが望ましい。
【０１１１】
この実施の形態３では、第１ユニット１００にシャッタを設けない構成のため、実施の形態１で説明した第１シャッタ１４０、および第１シャッタ１４０の開閉のための各構成要素（図８に示した軸穴１０３、バネ部材１４４、バネ部材留め部１０６およびストッパピン１０９、並びに図９に示した溝部２０７）が不要となるという効果がある。
【０１１２】
ここでは、第２ユニット２００の入射用開口部２０４に、実施の形態１で説明した回動型の第２シャッタ２４０を設けたが、実施の形態２で説明したスライド型の第２シャッタ２６０を設けてもよい。また、第１ユニット１００にのみシャッタ１４０を設けてもよい。
【０１１３】
なお、上記の各実施の形態では、第１シャッタ１４０（１６０）および第２シャッタ２４０（２６０）を、第１ユニット１００と第２ユニット２００との結合・分離動作と連動させる具体的な構成について説明したが、上記の構成に限らず、シャッタの開閉動作を第１ユニットと第２ユニットとの結合・分離動作と連動させるものであれば、他の構成を採用してもよい。
【０１１４】
また、上記の各実施の形態では、出射用開口部１０２および入射用開口部２０４に１枚ずつシャッタを設けたが、出射用開口部１０２および入射用開口部２０４にそれぞれに複数枚のシャッタを設けてもよい。
【０１１５】
また、上記の各実施の形態では、投写光学系２２０を第２ユニット２００に配設しているが、リアプロジェクタの構成によっては、投写光学系２２０を第１ユニット１００に配設することも可能である。
【符号の説明】
【０１１６】
１  リアプロジェクタ、  １００  第１ユニット、  １０１  第１筐体、  １０１ａ  前面部、  １０２  出射用開口部、  １０５，１５２  溝部、  １０５ａ，１５２ａ  当接面、  １１０  照明光学系、  １２０  光変調素子、  １３０  回路基板、  １４０，１６０  第１シャッタ、  １４４，１６３  バネ部材、  ２００  第２ユニット、  ２０１  第２筐体、  ２０１ａ  背面凸部、  ２０３  スクリーン、  ２０４  入射用開口部、  ２０７，２５２  溝部、  ２０７ａ，２５２ａ  当接面、  ２２０  投写光学系、  ２４０，２６０  第２シャッタ、  ２４４，２６３  バネ部材、  ２５３，２５４  ガイドレール。
【図１】
2013257555.tif 000003
【図２】
2013257555.tif 000004
【図３】
2013257555.tif 000005
【図４】
2013257555.tif 000006
【図５】
2013257555.tif 000007
【図６】
2013257555.tif 000008
【図７】
2013257555.tif 000009
【図８】
2013257555.tif 000010
【図９】
2013257555.tif 000011
【図１０】
2013257555.tif 000012
【図１１】
2013257555.tif 000013
【図１２】
2013257555.tif 000014
【図１３】
2013257555.tif 000015
【図１４】
2013257555.tif 000016
【図１５】
2013257555.tif 000017
【図１６】
2013257555.tif 000018
【図１７】
2013257555.tif 000019
【図１８】
2013257555.tif 000020
【図１９】
2013257555.tif 000021
【図２０】
2013257555.tif 000022
【図２１】
2013257555.tif 000023
【図２２】
2013257555.tif 000024
【図２３】
2013257555.tif 000025
【図２４】
2013257555.tif 000026